(57)【要約】【課題】複数のＸ線撮影における線量情報の遷移状況を出力可能な医用線量情報管理装置の提供。【解決手段】本実施形態に係る医用線量情報管理装置３は、Ｘ線照射による面積線量を含む線量情報を取得する線量計測部１３５と、線量情報に基づいて、Ｘ線照射に関する複数の撮影にそれぞれ対応する複数の面積線量を示す線量グラフを発生する線量グラフ発生部２３と、線量情報に含まれる撮影に対応する複数の撮影方式各々に応じて、線量グラフの表示態様を設定する表示態様設定部３３と、設定された表示態様を伴って線量グラフを出力する出力部２９と、を具備する。【選択図】図１１
2015043972.tif 000002
【特許請求の範囲】
【請求項１】
Ｘ線照射による面積線量を含む線量情報を取得する線量計測部と、
前記線量情報に基づいて、前記Ｘ線照射に関する複数の撮影にそれぞれ対応する複数の面積線量を示す線量グラフを発生する線量グラフ発生部と、
前記線量情報に含まれる前記撮影に対応する複数の撮影方式各々に応じて、前記線量グラフの表示態様を設定する表示態様設定部と、
前記設定された表示態様を伴って前記線量グラフを出力する出力部と、
を具備する医用線量情報管理装置。
【請求項２】
前記線量計測部は、前記線量情報を前記撮影に応じて逐次取得し、
前記線量グラフ発生部は、前記線量情報の逐次取得に応じて、前記線量グラフを逐次更新する請求項１に記載の医用線量情報管理装置。
【請求項３】
前記出力部は、前記線量グラフを表示するモニタを有する請求項１または請求項２に記載の医用線量情報管理装置。
【請求項４】
前記モニタは、前記線量グラフにおいて、前記撮影方式に対応する前記面積線量を時系列に沿って表示する請求項３に記載の医用線量情報管理装置。
【請求項５】
前記モニタは、前記線量グラフにおいて、前記撮影方式に対応する前記面積線量を前記撮影方式ごとに並べて表示する請求項３に記載の医用線量情報管理装置。
【請求項６】
前記出力部は、所定のネットワークを介して、前記線量グラフを他の医用装置へ出力する請求項１乃至５のうちいずれか一項に記載の医用線量情報管理装置。
【請求項７】
前記線量グラフにおける前記面積線量のうち少なくとも一つの面積線量を指定する入力部をさらに具備し、
前記モニタは、前記面積線量の指定を契機として、前記指定された面積線量に対応する前記Ｘ線照射に関するＸ線条件と、前記指定された面積線量の詳細情報とを、前記線量グラフとともに表示する請求項３乃至５のうちいずれか一項に記載の医用線量情報管理装置。
【請求項８】
前記撮影方式は、前記Ｘ線照射に対応するＸ線条件と、前記撮影の種類と、被検体に対する複数のＸ線照射部位と、前記被検体の撮影位置とのうち少なくとも一つにより規定され、
前記表示態様は、前記線量グラフにおける前記面積線量の表示において、前記撮影方式に応じた色相および形状であること請求項１乃至７のうちいずれか一項に記載の医用線量情報管理装置。
【請求項９】
前記モニタは、前記線量グラフにおいて、前記撮影方式に対応する前記面積線量を、被検体に対する複数のＸ線照射部位ごとと前記被検体の身長に対する照射位置とのうち少なくとも一方に識別可能に表示する請求項３乃至５のうちいずれか一項に記載の医用線量情報管理装置。
【請求項１０】
前記モニタは、
前記面積線量を積算した総面積線量が所定の閾値を超えたとき、前記線量グラフにおいて、前記閾値の超過に寄与した前記撮影方式に対応する前記面積線量を示すバーの色相を、所定の色相に変更して表示する請求項３乃至５のうちいずれか一項に記載の医用線量情報管理装置。
【請求項１１】
前記モニタは、前記閾値を前記線量グラフに重畳させて、特定の色相で表示する請求項１０に記載の医用線量情報管理装置。
【請求項１２】
前記モニタは、前記撮影における前記面積線量の増加に伴って、前記総面積線量を逐次更新して表示する請求項１０または１１に記載の医用線量情報管理装置。
【請求項１３】
前記モニタは、前記閾値に対する前記総面積線量の割合に応じて、前記線量グラフにおける前記面積線量の表示態様を変更して表示する請求項１０乃至１２のうちいずれか一項に記載の医用線量情報管理装置。
【請求項１４】
前記モニタは、前記割合に応じて、前記線量グラフにおいて逐次更新される前記面積線量を示す前記バーの色相を変更して表示する請求項１３に記載の医用線量情報管理装置。
【請求項１５】
前記出力部は、前記割合が前記閾値を超えたとき、所定の通知を出力する請求項１３または請求項１４に記載の医用線量情報管理装置。
【請求項１６】
Ｘ線を発生するＸ線管と、
前記Ｘ線管によるＸ線照射における複数の撮影にそれぞれ対応する複数の面積線量を含む線量情報を取得する線量計測部と、
前記線量情報に基づいて、前記面積線量を示す線量グラフを発生する線量グラフ発生部と、
前記線量情報に含まれる前記撮影に対応する複数の撮影方式に応じて、前記線量グラフの表示態様を設定する表示態様設定部と、
前記設定された表示態様を伴って前記線量グラフを出力する出力部と、
を具備するＸ線診断装置。
【請求項１７】
Ｘ線照射による面積線量を含む線量情報を、複数の撮影各々に応じて逐次取得し、
前記線量情報に基づいて、前記Ｘ線照射における複数の撮影にそれぞれ対応する複数の面積線量を前記撮影の時系列に沿って示す線量グラフを発生し、
前記線量情報に含まれる前記撮影に対応する複数の撮影方式各々に応じて、前記線量グラフの表示態様を設定し、
前記線量情報の逐次取得に応じて、前記線量グラフを逐次更新し、
前記逐次更新された線量グラフを前記表示態様で表示する医用線量情報管理方法。
【発明の詳細な説明】
【技術分野】
【０００１】
本発明の実施形態は、医用線量情報管理装置、Ｘ線診断装置、および医用線量情報管理方法に関する。
【背景技術】
【０００２】
従来、Ｘ線診断装置等を用いたＸ線撮影において、被検体の被曝情報（線量情報）は、撮像画像とともに付帯情報として保存される。撮像画像と撮像画像に伴う被曝量とは、リンク付けられて管理されることが多い。また、撮像画像と撮像画像に伴う被曝量とは、撮像画像とともに外部サーバ等に送られることがある。このとき、サーバにおいて、被検体の線量情報は管理される。
【０００３】
しかしながら、線量情報は、撮像画像の附帯情報として扱われるため、検査中の被検体の被曝管理として有効に利用されていない問題がある。例えば、被検体に対するＸ線検査において、操作者は、複数のＸ線撮影各々に伴う被検体の被曝量の遷移を把握しづらい問題がある。また、操作者は、総被曝線量の規定値に対して、被検体に許容される曝射量の目安を把握しづらい問題がある。
【先行技術文献】
【特許文献】
【０００４】
【特許文献１】特許第４６１２３１９号
【特許文献２】特開平６−４７０３１号公報
【特許文献３】特開２００７−１８１７３７号公報
【発明の概要】
【発明が解決しようとする課題】
【０００５】
目的は、複数のＸ線撮影における線量情報の遷移状況を出力可能な医用線量情報管理装置、Ｘ線診断装置、および医用線量情報管理方法を提供することにある。
【課題を解決するための手段】
【０００６】
本実施形態に係る医用線量情報管理装置は、Ｘ線照射による面積線量を含む線量情報を取得する線量計測部と、前記線量情報に基づいて、前記Ｘ線照射に関する複数の撮影にそれぞれ対応する複数の面積線量を示す線量グラフを発生する線量グラフ発生部と、前記線量情報に含まれる前記撮影に対応する複数の撮影方式各々に応じて、前記線量グラフの表示態様を設定する表示態様設定部と、前記設定された表示態様を伴って前記線量グラフを出力する出力部と、を具備する。
【図面の簡単な説明】
【０００７】
【図１】図１は、本実施形態に係るＸ線診断装置の構成の一例を示す図である。
【図２】図２は、本実施形態に係るＸ線診断装置の外観の一例を示す外観図である。
【図３】図３は、本実施形態に係り、本実施形態に係るＸ線診断装置の外観の一例を示す外観図である。
【図４】図４は、本実施形態に係り、線量グラフを、線量レポートとともに表示した一例を示す図である。
【図５】図５は、本実施形態に係り、線量グラフ発生処理の手順の一例を示すフローチャートである。
【図６】図６は、本実施形態の第１の変形例に係り、特定面積線量に関する詳細情報を、線量グラフとともに表示した一例を示す図である。
【図７】図７は、本実施形態の第２の変形例に係り、３回のＸ線撮影のうち１回目および３回目のＸ線撮影が透視撮影であって、２回目のＸ線撮影がワンショット撮影である場合において、線量グラフにおける面積線量を動的に増加させる一例を示す図である。
【図８】図８は、本実施形態の第３の変形例に係り、所定の閾値を線量グラフとともに示す図である。
【図９】図９は、本実施形態の第４の変形例に係り、線量グラフをＤＩＣＯＭ  Ｄｏｓｅ  ＳＲ情報等の線量管理情報として記憶媒体に記憶し、記憶媒体から当該情報を読み込むことにより、医用画像表示装置に表示された線量グラフの一例を示す図である。
【図１０】図１０は、本実施形態の第５の変形例に係るＸ線診断装置の構成を示す構成図である。
【図１１】図１１は、本実施形態に係る医用線量情報管理装置の構成の一例を示す図である。
【図１２】図１２は、本実施形態の線量グラフにおいて、被検体に対するＸ線照射部位ごとに、撮影方式に対する面積線量を識別可能に表示した一例を示す図である。
【発明を実施するための形態】
【０００８】
以下、図面を参照しながら実施形態に係るＸ線診断装置を説明する。なお、以下の説明において、略同一の機能及び構成を有する構成要素については、同一符号を付し、重複説明は必要な場合にのみ行う。
【０００９】
図１は、第１の実施形態に係るＸ線診断装置１の構成を示している。本Ｘ線診断装置１は、高電圧発生部１１、Ｘ線管１３１とＸ線可動絞り部１３３と線量計測部１３５とを支持する支持機構１３、Ｘ線を検出するＸ線検出器１５、被検体Ｐが載置される天板１７を有する図示していない寝台、支持機構１３を駆動する駆動部１９、画像発生部２１、図示していないインターフェース部、線量グラフ発生部２３、記憶部２５、入力部２７、出力部（表示部）２９、制御部３１、表示態様設定部３３を有する。
【００１０】
図２および図３は、本実施形態に係り、Ｘ線診断装置１の外観の一例を示す図である。図２および図３に示すＸ線診断装置１は、例えば、Ｘ線ＴＶシステムである。なお、本実施形態に係るＸ線診断装置１は、Ｘ線ＴＶシステムに限定されず、例えば、一般的なＸ線撮影システム、血管Ｘ線撮影システム、回診用Ｘ線診断装置、ポータブルＸ線撮影装置など、任意のＸ線診断装置に適用可能である。
【００１１】
高電圧発生部１１は、複数のＸ線照射各々に応じて、Ｘ線管１３１に供給する管電流と、Ｘ線管１３１に印加する管電圧とを発生する。複数のＸ線照射とは、例えば、複数のワンショット撮影および複数の透視撮影である。ワンショット撮影とは、被検体Ｐに対して１回Ｘ線を照射する撮影である。透視撮影とは、予め設定されたパルス幅および曝射時間に従って、被検体Ｐに対してＸ線を間欠的に複数回照射する撮影である。以下、透視撮影に関する撮影期間を照射期間と呼ぶ。例えば、ワンショット撮影および透視撮影は撮影の種類に対応する。なお、撮影の種類は、ワンショット撮影および透視撮影に限定されず、任意の撮影方法を含む。
【００１２】
具体的には、高電圧発生部１１は、制御部３１による制御のもとで、Ｘ線条件に従って、ワンショット撮影および透視撮影にそれぞれ適した管電流をＸ線管１３１に供給し、ワンショット撮影および透視撮影各々にそれぞれ適した管電圧をＸ線管１３１に印加する。例えば、高電圧発生部１１は、被検体Ｐに対する透視撮影において、複数回に亘って管電圧をＸ線管１３１に印加し、管電流をＸ線管１３１に供給する。
【００１３】
Ｘ線条件とは、例えば、管電圧、管電流、管電流に曝射時間を乗算した管電流時間積などである。なお、Ｘ線条件には、Ｘ線管１３１におけるＸ線発生の焦点（以下、管球焦点と呼ぶ）とＸ線検出器１５との間の距離（線源受像面間距離（Ｓｏｕｒｃｅ  Ｉｍａｇｅ  Ｄｉｓｔａｎｃｅ：以下、ＳＩＤと呼ぶ）、所定の基準位置におけるＸ線の照射範囲（以下、照射面積と呼ぶ）などを有していてもよい。所定の基準位置とは、例えば、天板１７の直上１５ｃｍの位置である。Ｘ線条件は、上記Ｘ線照射に関する各種条件に対応する。
【００１４】
支持機構１３は、Ｘ線管１３１、Ｘ線可動絞り部１３３、線量計測部１３５などを、後述する直交３軸に移動可能に支持する。具体的には、支持機構１３は、ＳＩＤを変更可能に、Ｘ線管１３１とＸ線可動絞り部１３３と線量計測部１３５などとを支持する。
【００１５】
なお、支持機構１３は、例えば、ＣアームとＣアーム支持部とを有していてもよい。Ｃアームは、Ｘ線管１３１とＸ線検出器１５とを、互いに向き合うように搭載する。なお、Ｃアームの代わりにΩアームが用いられてもよい。Ｃアーム支持部は、ＣアームのＣ形状に沿う方向（以下、第１方向と呼ぶ）に、Ｃアームをスライド可能に支持する。Ｃアーム支持部は、ＣアームとＣアーム支持部とを接続する接続部を略中心として、第１方向に直交する方向（以下、第２方向と呼ぶ）に回転可能にＣアームを支持する。なお、Ｃアーム支持部は、天板１７の短軸方向と長軸方向とに平行移動可能にＣアームを支持することも可能である。
【００１６】
Ｘ線管１３１は、高電圧発生部１１から供給された管電流と、高電圧発生部１１により印加された管電圧とに基づいて、管球焦点においてＸ線を発生する。管球焦点から発生されたＸ線は、Ｘ線管１３１の前面に設けられたＸ線放射窓を介して、被検体Ｐに照射される。
【００１７】
Ｘ線可動絞り部１３３は、Ｘ線管１３１におけるＸ線放射窓の前面に設けられる。すなわち、Ｘ線可動絞り部１３３は、Ｘ線管１３１とＸ線検出器１５との間に設けられる。具体的には、Ｘ線可動絞り部１３３は、管球焦点で発生されたＸ線を、操作者が所望する撮影部位（Ｘ線照射部位）以外に不要な被爆をさせないために、最大口径の照射範囲（以下、最大照射範囲と呼ぶ）を、被検体Ｐの体表面にＸ線を照射する照射面積に応じて限定する。例えば、Ｘ線可動絞り部１３３は、入力部２７により入力された照射範囲の限定指示に従って、複数の絞り羽根各々を移動させることにより、照射範囲を限定する。すなわち、Ｘ線可動絞り部１３３は、操作者が所望する被検体の部位（Ｘ線照射部位）にＸ線を照射するために、Ｘ線管１３１により発生されたＸ線を絞る。
【００１８】
具体的には、Ｘ線可動絞り部１３３は、所定の方向に移動可能な複数の第１絞り羽根と、所定の方向に直交する方向に移動可能な複数の第２絞り羽根とを有する。第１、第２絞り羽根各々は、管球焦点で発生されたＸ線を遮蔽する鉛により構成される。
【００１９】
なお、Ｘ線可動絞り部１３３は、被検体Ｐへの被曝線量の低減および画質の向上を目的として、Ｘ線の照射野に挿入される複数のフィルタ（以下、補償フィルタ呼ぶ）を有していてもよい。複数の補償フィルタは、それぞれ異なる厚みを有する。なお、補償フィルタ各々の厚みは、同一であって、複数の補償フィルタの間で異なる材質により構成されてもよい。補償フィルタは、管球焦点で発生されたＸ線の線質を厚みに応じて変更する。補償フィルタは、例えば、アルミニウム、銅などにより構成される。補償フィルタは、被検体Ｐに対する撮影プランに応じて、入力部２７を介して操作者により選択される。複数の補償フィルタから選択された補償フィルタは、制御部３１による制御のもとで、Ｘ線可動絞り部１３３におけるＸ線の照射野に挿入される。
【００２０】
補償フィルタは、例えば、ハレーション（ｈａｌａｔｉｏｎ）防止のために、被検体Ｐに対する被曝を低減させるため、管球焦点で発生されたＸ線（以下、発生Ｘ線と呼ぶ）のうち、被検体Ｐに吸収されやすい低エネルギーのＸ線成分（軟線成分）を低減する。また、補償フィルタは、発生Ｘ線のうち、画像発生部２１により発生された医用画像において、コントラストの低下の原因となる高エネルギーのＸ線成分を低減してもよい。
【００２１】
線量計測部１３５は、被検体Ｐに対する複数のＸ線照射にそれぞれ対応する複数の面積線量を含む線量情報を取得する。線量計測部１３５は、例えば、Ｘ線管１３１のＸ線放射窓の前面に設けられた線量計の出力に基づいて、面積線量を取得する。すなわち、線量計は、Ｘ線可動絞り部１３３とＸ線検出器１５との間に設けられる。線量計は、例えば、面積線量計である。線量計は、所定の期間に亘る面積線量を計測する。所定の期間とは、線量計から読み出す読み出し周期（以下、線量読み出し周期と呼ぶ）に対応する。線量計は、線量読み出し周期ごとに読み出した面積線量を、線量グラフ発生部２３および記憶部２５に出力する。
【００２２】
線量計測部１３５は、被検体に対する撮影に応じて、線量情報を逐次取得する。線量情報は、線量計から出力される面積線量を有する。例えば、線量計測部１３５は、透視撮影において、線量読み出し周期に従って、線量計から線量情報を逐次取得する。線量計測部１３５は、取得した線量情報を、線量グラフ発生部２３に出力する。
【００２３】
Ｘ線検出器１５は、Ｘ線管１３１から発生され、被検体Ｐを透過したＸ線を検出する。例えば、Ｘ線検出器１５は、例えば、フラットパネルディテクタ（Ｆｌａｔ  Ｐａｎｅｌ  Ｄｅｔｅｃｔｏｒ：以下、ＦＰＤと呼ぶ）である。ＦＰＤ１５は、複数の半導体検出素子を有する。半導体検出素子には、直接変換形と間接変換形とがある。直接変換形とは、入射Ｘ線を直接的に電気信号に変換する形式である。間接変換形とは、入射Ｘ線を蛍光体で光に変換し、その光を電気信号に変換する形式である。
【００２４】
Ｘ線の入射に伴って複数の半導体検出素子で発生された電気信号は、図示していないアナログディジタル変換器（Ａｎａｌｏｇ  ｔｏ  Ｄｉｇｉｔａｌ  ｃｏｎｖｅｒｔｅｒ：以下、Ａ／Ｄ変換器と呼ぶ）に出力される。Ａ／Ｄ変換器は、電気信号をディジタルデータに変換する。Ａ／Ｄ変換器は、ディジタルデータを、図示していない前処理部に出力する。なお、Ｘ線検出器１５として、イメージインテンシファイア（Ｉｍａｇｅｉｎｔｅｎｓｉｆｉｅｒ）が用いられてもよい。
【００２５】
図示していない寝台は、被検体Ｐを載置する天板１７を有する。なお、天板１７には、被検体Ｐが載置される。また、天板１７の下方側には、Ｘ線検出器１５が設けられる。
【００２６】
駆動部１９は、制御部３１の制御のもとで、支持機構１３と寝台とを駆動する。具体的には、駆動部１９は、制御部３１からの制御信号に応じた駆動信号を支持機構１３に出力して、支持機構１３を第１方向にスライド、第２方向に回転させる。透視撮影時およびワンショット撮影時においては、Ｘ線管１３１とＸ線検出器１５との間に、天板１７に載置された被検体Ｐが配置される。駆動部１９は、天板１７に対するＸ線管１３１の位置、支持機構１３の位置を、線量グラフ発生部２３および記憶部２５などに出力する。
【００２７】
駆動部１９は、制御部３１の制御のもとで、天板１７を駆動することにより、天板１７を移動させる。具体的には、駆動部１９は、制御部３１からの制御信号に基づいて、天板１７の長軸方向（図１におけるＸ方向）または天板１７の短軸方向（図１のＹ方向）に、天板１７をスライドさせる。また、駆動部１９は、鉛直方向（図１のＺ方向）に関して、天板１７を昇降する。加えて、駆動部１９は、長軸方向と短軸方向とのうち少なくとも一つの方向を回転軸（図１のＸ軸、Ｙ軸）として、天板１７を傾けるために天板１７を回転してもよい。駆動部１９は、天板１７の位置を、線量グラフ発生部２３に出力する。
【００２８】
駆動部１９は、Ｘ線管１３１と天板１７との相対的な位置関係を、線量グラフ発生部２３に出力する。Ｘ線管１３１と天板１７との相対的な位置関係とは、例えば、天板１７に対するＸ線管１３１の角度（傾き）などである。傾きは、例えば、被検体Ｐに対するアイソセンタ（Ｉｓｏｃｅｎｔｅｒ）を基準としたオイラー角で表される。
【００２９】
図示していない前処理部は、Ｘ線検出器１５から出力されたディジタルデータに対して、前処理を実行する。前処理とは、Ｘ線検出器１５におけるチャンネル間の感度不均一の補正、および金属等のＸ線強吸収体による極端な信号の低下またはデータの脱落に関する補正等である。前処理されたディジタルデータは、画像発生部２１に出力される。
【００３０】
画像発生部２１は、被検体の撮影位置においてＸ線撮影された後に前処理されたディジタルデータに基づいて、撮影画像を発生する。画像発生部２１は、透視位置でＸ線透視された後に前処理されたディジタルデータに基づいて、透視画像を発生する。以下、撮影画像と透視画像とをまとめて投影画像と呼ぶ。画像発生部２１は、発生した投影画像を、線量グラフ発生部２３により発生された線量グラフと関連づけられて、出力部２９および記憶部２５に出力する。
【００３１】
図示していないインターフェース部は、例えば、ネットワーク、図示していない外部記憶装置に関するインターフェースである。本Ｘ線診断装置１によって得られた投影画像等のデータおよび解析結果などは、インターフェース部およびネットワークを介して他の医用装置３５に転送可能である。
【００３２】
線量グラフ発生部２３は、線量計測部１３５からの出力に基づいて、複数のＸ線照射各々の時点における面積線量と、Ｘ線照射開始からＸ線照射各々の終了時点までの面積線量の総量（以下、総面積線量と呼ぶ）とを示す線量グラフを発生する。線量グラフ発生部２３は、Ｘ線照射開始からＸ線照射各々の終了時点までの面積線量を積算することにより、総面積線量を計算する。すなわち、線量グラフ発生部２３は、線量情報に基づいて、Ｘ線照射に関する複数の撮影にそれぞれ対応する複数の面積線量を示す線量グラフを発生する。また、線量グラフ発生部２３は、線量情報の逐次取得に応じて、線量グラフを逐次更新する。
【００３３】
具体的には、線量グラフ発生部２３は、面積線量とＸ線条件とを関連付ける。線量グラフ発生部２３は、横軸を撮影回数または撮影開始時点からの経過時間（時系列）、縦軸のうち一方を面積線量として、複数のＸ線照射各々の面積線量を棒グラフとして示し、縦軸のうち他方を総面積線量として、Ｘ線照射開始時点からＸ線照射各々の終了時点までの総面積線量を折れ線グラフとして示す線量グラフを発生する。すなわち、線量グラフ発生部２３は、時系列に沿って、後述する撮影方式に対応する面積線量を、撮影の時系列に沿って並べた線量グラフを発生する。
【００３４】
なお、線量グラフ発生部２３は、撮影方式に対応する面積線量を、撮影方式ごとに並べた線量グラフを発生してもよい。また、線量グラフ発生部２３は、撮影における面積線量の増加に伴って、線量グラフにおける総面積線量を示す表示態様を、逐次更新してもよい。総面積線量を示す表示態様とは、例えば折れ線である。なお、線量グラフ発生部２３は、撮影方式に対応する面積線量を、被検体に対する複数のＸ線照射部位ごとに識別可能な線量グラフを発生してもよい。
【００３５】
線量グラフ発生部２３は、Ｘ線照射開始時点からＸ線照射各々の終了時点までの面積線量を加算することにより総面積線量を計算する。加えて、線量グラフ発生部２３は、Ｘ線条件のうち、Ｘ線撮影の種類（ワンショット撮影または透視撮影）に応じた色相で、面積線量の棒グラフを発生する。線量グラフは、同一被検体Ｐに対する一つの検査において、検査開始から検査終了までの期間（以下、検査期間と呼ぶ）にわたって、一つの線量グラフとして発生される。なお、線量グラフ発生部２３は、総面積線量を示す折れ線グラフを、面積線量を示す棒グラフと異なる色相で発生してもよい。なお、Ｘ線撮影の種類に応じた色相および総面積線量を示す色相は、表示態様設定部３３により設定される。
【００３６】
なお、線量グラフ発生部２３は、被検体に対して、当日中に複数の検査を実行する場合、複数の検査に亘る総面積線量を計算してもよい。加えて、線量グラフ発生部２３は、このとき、複数の検査に亘る全検査期間において、面積線量及び総面積線量を、一つの線量グラフとして発生することも可能である。
【００３７】
線量グラフ発生部２３は、複数のＸ線撮影各々に関する線量レポートを発生してもよい。線量レポートは、線量グラフに対応する数値情報である。線量グラフ発生部２３は、発生した線量グラフと線量レポートとを、出力部２９と記憶部２５とに出力する。
【００３８】
線量レポートは、例えば、複数のＸ線撮影のうち、複数のワンショット撮影に関する総撮影および複数の透視撮影に関する総透視にそれぞれ対応する複数の線量情報を有する。総撮影に関する線量情報は、例えば、撮影時間の合計（以下、総撮影時間と呼ぶ）、撮影線量の合計（以下、総撮影線量と呼ぶ）、複数のワンショット撮影に関する面積線量の合計（以下、撮影総面積線量と呼ぶ）などである。総透視に関する線量情報とは、例えば、透視時間の合計（以下、総透視時間と呼ぶ）、透視線量の合計（以下、総透視線量と呼ぶ）、複数の透視撮影に関する面積線量の合計（以下、透視総面積線量と呼ぶ）などである。また、線量レポートは、複数のＸ線撮影において、検査期間に亘る総線量と総面積線量とを有してもよい。
【００３９】
具体的には、線量グラフ発生部２３は、支持機構１３の位置と相対的な位置関係（幾何学的条件：例えば、被検体の撮影位置）と面積線量と照射面積とに基づいて、基準位置における空気カーマ（ｋｅｒｍａ）を計算する。線量グラフ発生部２３は、計算された空気カーマと、Ｘ線条件、照射面積と、支持機構１３の位置および相対的な位置関係（幾何学的条件）とに基づいて計算した線量（患者皮膚線量、面積線量など）を利用して、線量グラフを発生してもよい。
【００４０】
なお、線量グラフ発生部２３は、複数のＸ線照射各々における面積線量の詳細情報を、Ｘ線照射各々の開始入力に応じて発生してもよい。面積線量の詳細情報とは、例えば、撮影開始時刻、撮影の種類、管電圧、管電流、曝射時間、パルス幅、照射時間、管電流時間積、空気カーマ、Ｘ線照射部位などである。線量グラフ発生部２３は、面積線量に対応する詳細情報を、出力部２９および記憶部２５に出力する。
【００４１】
表示態様設定部３３は、線量情報に含まれる撮影に対応する複数の撮影方式各々に応じて、線量グラフの表示態様を設定する。撮影方式は、例えば、Ｘ線照射に対応するＸ線条件と、撮影の種類と、複数のＸ線照射部位と、被検体の撮影位置とのうち少なくとも一つにより規定される。表示態様は、線量グラフにおける面積線量の表示において、撮影方式に応じた色相および形状である。撮影方式がワンショット撮影に関する場合、形状は、線量グラフにおいて、例えば、このワンショット撮影に関する面積線量の大きさに応じた矩形に相当する。また、撮影方式が透視撮影に関する場合、形状は、線量グラフにおいて、例えば、この透視撮影において逐次取得される面積線量の大きさに応じた矩形を延長させることに相当する。すなわち、表示態様設定部３３は、撮影方式に応じて線量グラフにおける面積線量の表示態様を切り替えるような表示態様を設定する。
【００４２】
記憶部２５は、画像発生部２１で発生された種々の投影画像、本Ｘ線診断装置１の制御プログラム、診断プロトコル、入力部２７から送られてくる操作者の指示、Ｘ線条件などの各種データ群、インターフェース部とネットワークとを介して送られてくる種々のデータ、総面積線量などを記憶する。また、記憶部２５は、Ｘ線管１３１と天板１７との相対的な位置関係を記憶してもよい。
【００４３】
記憶部２５は、線量グラフ発生部２３により発生された線量グラフ、線量情報、詳細情報、線量レポートを、関連する複数の投影画像とともに記憶する。また、記憶部２５は、線量グラフ発生部２３において実行される各処理に関するプログラムを記憶してもよい。また、記憶部２５は、Ｘ線条件における複数のＸ線撮影（ワンショット撮影および透視撮影）にそれぞれ対応する複数の色相情報を記憶する。なお、記憶部２５は、線量グラフ発生部２３により実行される各種機能、例えば、線量グラフ及び線量レポートを発生する機能に関する線量情報発生プログラムを記憶してもよい。また、記憶部２５は、線量グラフ発生処理を実行するプログラム（線量グラフ発生プログラム）を記憶してもよい。
【００４４】
入力部２７は、Ｘ線条件、透視・撮影位置、照射範囲、Ｘ線照射部位などを入力する。具体的には、入力部２７は、操作者からの各種指示・命令・情報・選択・設定を本Ｘ線診断装置１に取り込む。透視・撮影位置とは、例えば、アイソセンタに対する角度で規定される。入力部２７は、例えば、透視撮影の開始及び終了を入力するフットスイッチを有する。加えて、入力部２７は、ワンショット撮影を実行するハンドスイッチを有する。また、入力部２７は、線量グラフおよび線量レポートにおいて表示される表示項目を、入力することも可能である。加えて、入力部２７は、線量グラフ、線量レポートにおいて、表示項目における単位を入力することも可能である。
【００４５】
入力部２７は、図示していないが、各種設定などを行うためのトラックボール、スイッチボタン、マウス、キーボード等を有する。入力部２７は、表示画面上に表示されるカーソルの座標を検出し、検出した座標を制御部３１に出力する。なお、入力部２７は、表示画面を覆うように設けられたタッチパネルでもよい。この場合、入力部２７は、電磁誘導式、電磁歪式、感圧式等の座標読み取り原理でタッチ指示された座標を検出し、検出した座標を制御部３１に出力する。
【００４６】
出力部２９は、設定された表示態様を伴って、線量グラフを出力する。具体的には、出力部２９は、線量グラフ、投影画像等を表示するモニタを有する。モニタは、線量グラフにおいて、撮影方式に対応する前記面積線量を、時系列に沿って、線量情報の逐次取得に応じて逐次更新して表示する。モニタは、線量グラフにおいて、撮影方式に対応する面積線量を撮影方式ごとに並べて表示する。出力部２９は、所定のネットワークを介して、線量グラフを他の医用装置３５へ出力する。モニタは、線量グラフにおいて、撮影方式に対応する面積線量を、被検体に対する複数のＸ線照射部位ごとに識別可能に表示する。モニタは、撮影における面積線量の増加に伴って、総面積線量を逐次更新して表示する。例えば、モニタは、線量グラフにおける面積線量を、設定された表示態様に従って、撮影方式に応じて切り替えて表示する。
【００４７】
モニタは、画像発生部２１により発生された投影画像を表示する。モニタは、線量グラフを線量レポートともに表示する。図４は、線量グラフを、線量レポートとともに表示した一例を示す図である。図４に示す線量グラフにおいて、横軸は撮影回数を示している。なお、線量グラフの横軸は時間であってもよい。図４に示す線量グラフにおいて、左側の縦軸は、面積線量を示している。線量グラフにおいて、撮影回数に対応する面積線量は、縦棒（バー）により表示される。図４において、透視撮影に関する面積線量を示すバーは、ヒストグラムのような縦棒において、右上から左下へ向かう斜線で示されている。図４において、ワンショット撮影に関する面積線量を示すバーは、ヒストグラムのような縦棒において、左上から右下へ向かう斜線で示されている。
【００４８】
図１２は、線量グラフにおいて、被検体に対するＸ線照射部位（離散的な照射位置）ごとに、撮影方式に対する面積線量を識別可能に表示した一例を示す図である。図１２は、図４とは異なる線量グラフである。図１２に示す線量グラフの横軸は、Ｘ線照射部位の項目を示している。図１２における縦軸は、Ｘ線照射部位各々における総面積線量を示している。また、Ｘ線照射部位各々における総面積線量は、撮影方式に応じて区別される。撮影方式に応じた区別は、例えば色相である。撮影方式に応じて区別される色相は、表示態様設定部３３により設定される。
【００４９】
なお、モニタは、線量グラフにおいて、撮影方式に対する面積線量を、被検体に対する複数のＸ線照射部位ごとと被検体の身長に対する照射位置とのうち少なくとも一方に、識別可能に表示してもよい。このとき、図１２の横軸は、被検体の身長に沿った連続的な照射位置に対応する。
【００５０】
図１２において、透視撮影に関する面積線量を示すバーは、右上から左下へ向かう斜線で示されている。図１２において、ワンショット撮影に関する面積線量を示すバーは、左上から右下へ向かう斜線で示されている。なお、Ｘ線照射部位の項目に対する総面積線量を示す線量グラフにおいて、Ｘ線照射が許容される線量の上限値（以下、線量上限値と呼ぶ）が、Ｘ線照射部位ごとに表示されてもよい。複数の線量上限値は、複数のＸ線照射部位にそれぞれ対応する。
【００５１】
図１２における破線（ａ）は、Ｘ線照射部位が頭部であるときの線量上限値である。図１２における破線（ｂ）は、Ｘ線照射部位が頸部であるときの線量上限値である。図１２における破線（ｃ）は、Ｘ線照射部位が胸部であるときの線量上限値である。図１２における破線（ｄ）は、Ｘ線照射部位が腹部であるときの線量上限値である。図１２における破線（ｅ）は、Ｘ線照射部位が下肢であるときの線量上限値である。
【００５２】
図１２における線量グラフは、例えば、図４に示す線量グラフの表示状態において、入力部２７を介して所定の操作が入力されると、図４に示す線量グラフを図１２に示す線量グラフに置換して、図１２に示す線量グラフが表示される。ここで、所定の操作とは、例えば、線量グラフの切り替えボタンの操作、表示される線量グラフの選択操作などである。
【００５３】
モニタに線量グラフが表示されるとき、線量グラフの縦棒は、撮影の種類に応じて色相を相違させて表示される。線量グラフにおけるバーの色相は、撮影方式（例えば撮影の種類）に応じて、表示態様設定部３３により設定される。例えば、透視撮影に関する面積線量の縦棒は青色で、ワンショット撮影に関する面積線量を示す縦棒は黄色で表示される。なお、線量グラフにおける面積線量を示す縦棒の色相は、入力部２７を介して適宜変更可能である。また、モニタは、入力部２７を介して入力された表示項目を、線量グラフとともに表示することも可能である。加えて、モニタは、入力部２７を介して入力された単位に応じて、線量グラフおよび線量レポートにおける表示項目の単位を変更して表示することも可能である。
【００５４】
なお、モニタは、被検体Ｐに対する検査期間中において、線量グラフを線量レポートともに、常時表示してもよい。また、モニタは、入力部２７を介した所定のボタン操作により、線量グラフおよび線量レポートをポップアップして表示してもよい。
【００５５】
制御部３１は、図示していないＣＰＵ（Ｃｅｎｔｒａｌ  Ｐｒｏｃｅｓｓｉｎｇ  Ｕｎｉｔ）とメモリを備える。制御部３１は、入力部２７から送られてくる操作者の指示、撮影条件・透視条件などのＸ線条件などの情報を、図示していなメモリに一時的に記憶する。制御部３１は、メモリに記憶された操作者の指示、透視・撮影位置、Ｘ線条件などに従って、Ｘ線撮影（ワンショット撮影および透視撮影）を実行するために、本Ｘ線診断装置１における各部（例えば、高電圧発生部１１、Ｘ線可動絞り１３３、駆動部１９など）を制御する。
【００５６】
制御部３１は、記憶部２５に記憶された線量情報発生プログラムを読み出し、メモリに展開する。制御部３１は、メモリに展開した線量情報発生プログラムに従って、本Ｘ線診断装置１における各部（線量計測部１３５、線量グラフ発生部２３、表示態様設定部３３、出力部２９など）を制御する。
【００５７】
（線量グラフ発生機能）  
線量グラフ発生機能とは、複数のＸ線各々において取得された面積線量に基づいて、線量グラフを発生し、表示する機能である。以下、線量グラフ発生機能に関する処理（以下、線量グラフ発生処理と呼ぶ）について説明する。
【００５８】
図５は、線量グラフ発生処理の手順の一例を示すフローチャートである。  
被検体Ｐに対してＸ線の撮影が開始される（ステップＳａ１）。Ｘ線撮影の種類（ワンショット撮影または透視撮影）が記憶部２５に記憶される（ステップＳａ２）。面積線量が計測される（ステップＳａ３）。Ｘ線撮影の種類が、面積線量と関連付けられる（ステップＳａ４）。被検体Ｐに対する総面積線量が計算される（ステップＳａ５）。Ｘ線撮影の種類に応じた色相で面積線量と総面積線量とを示す線量グラフが発生される（ステップＳａ６）。
【００５９】
発生された線量グラフが、モニタに表示される（ステップＳａ７）。被検体Ｐに対するＸ線撮影が終了しなければ、ステップＳａ２乃至ステップＳａ７の処理が繰り返される（ステップＳａ８）。
【００６０】
（第１の変形例）  
本実施形態との相違は、モニタに表示された線量グラフにおいて、入力部２７を介して面積線量が選択されると、選択された面積線量に関する詳細情報を表示させることにある。
【００６１】
入力部２７は、モニタに表示された線量グラフにおける面積線量の指定を入力する。具体的には、入力部２７は、操作者の指示に応じて、面積線量を示す縦棒上にカーソルを移動する。入力部２７は、縦棒上にカーソルが移動されると、カーソルを重畳させた縦棒に関する面積線量を特定する。以下、特定された面積線量を特定面積線量と呼ぶ。
【００６２】
入力部２７は、面積線量を示す縦棒にカーソルが重畳された状態において、所定の操作を入力可能な状態になる。所定の操作とは、例えば、マウスによるダブルクリック、所定のボタンの押下である。所定の操作（面積線量指定指示）が入力されると、入力部２７は、特定面積線量に関する詳細情報を、記憶部２５から読みださせる指示（以下、詳細情報読み出し指示と呼ぶ）を制御部３１に出力する。
【００６３】
制御部３１は、入力部２７から詳細情報読み出し指示が入力されると、特定面積線量に関する詳細情報を、記憶部２５から読みだす。制御部３１は、読みだした詳細情報を出力部２９のモニタに出力する。
【００６４】
モニタは、表示された線量グラフ上にカーソルを表示する。モニタは、制御部３１により読み出された詳細情報を、線量グラフとともに表示する。モニタは、入力部を介した面積線量の指定を契機として、指定された面積線量に対応するＸ線照射に関するＸ線条件と、指定された面積線量の詳細情報とを、線量グラフとともに表示する。
【００６５】
図６は、特定面積線量に関する詳細情報を、線量グラフとともに表示した一例を示す図である。図６に示すように、特定面積線量は、撮影回数が１回目の面積線量である。すなわち、図６において、表示された詳細情報は、撮影回数が１回目の面積線量に関する詳細情報である。図６に示す詳細情報は、撮影開始時刻、撮影の種類、面積線量、皮膚吸収線量、管電圧、管電流、曝射時間、パルス幅、照射時間を有する。
【００６６】
なお、詳細情報として示される項目は、図６示す詳細情報の項目（以下、詳細情報項目と呼ぶ）に限定されず、入力部２７を介して適宜設定可能である。詳細情報項目は、図６に示した複数の項目より少なくてもよい。また、詳細情報項目は、例えば、管電流時間積、空気カーマ、撮影部位などの項目をさらに有していてもよい。また、詳細情報項目における単位は、入力部２７を介して適宜変更可能である。すなわち、詳細情報の項目および単位は、入力部２７を介した操作者の指示により、任意にカスタマイズ可能である。
【００６７】
（第２の変形例）  
本実施形態との相違は、被検体Ｐに対するＸ線撮影の実行期間中に動的に線量グラフを更新して表示することにある。例えば、透視撮影の実行期間中に、線量グラフにおける面積線量を示すバーは、動的に延長して表示される。
【００６８】
以下、説明を具体的にするために、動的に表示されるバーは、透視撮影（動画撮影）に関する面積線量であるものとする。
【００６９】
入力部２７は、透視撮影またはワンショット撮影を選択するボタンを有する。入力部２７を介して、透視撮影を選択するボタンが操作者により押下されると、被検体Ｐに対するＸ線撮影として透視撮影が選択される。入力部２７は、被検体Ｐに対して照射を開始するスイッチ（以下、照射スイッチと呼ぶ）を有する。入力部２７は、照射スイッチの押下に応じて、Ｘ線条件に従って被検体Ｐに対するＸ線照射を実行するための指示を制御部３１に出力する。
【００７０】
例えば、透視撮影が選択されたとき、入力部２７は、照射スイッチが押下されている期間に亘って、透視撮影を実行するための指示を制御部３１に出力する。入力部２７は、照射スイッチの押下の入力指示と、照射スイッチの押下の解除の指示とを、線量計測部１３５および線量グラフ発生部２３に出力する。照射スイッチの押下の解除の指示とは、たとえば、照射スイッチから操作者の指を放すことに相当する。
【００７１】
制御部３１は、入力部２７により選択されたＸ線撮影の種類とＸ線条件とに従って、被検体Ｐに対するＸ線撮影を実行する。例えば、Ｘ線撮影の種類として、入力部２７を介して透視撮影が選択された場合、制御部３１は、照射スイッチを押下している期間に亘って透視撮影を実行する。
【００７２】
線量計測部１３５は、照射スイッチの押下の入力指示を契機として、面積線量の取得を開始する。線量計測部１３５は、照射スイッチの押下の解除の指示が入力されるまで、面積線量を連続的に取得する。線量計測部１３５は、連続的に取得した面積線量を線量グラフ発生部２３に出力する。
【００７３】
線量グラフ発生部２３は、透視撮影において連続的に出力された面積線量に応じて、面積線量を示す縦棒（バー）を動的（リアルタイムに）に変化させた線量グラフを発生する。具体的には、線量グラフ発生部２３は、例えば透視撮影において、面積線量の増加に応じて面積線量を示す縦棒を延伸して表示する。
【００７４】
すなわち、線量グラフ発生部２３は、線量グラフにおける面積線量を示すバーを、面積線量の逐次取得に応じて逐次更新する。線量グラフにおける面積線量を示すバーを延伸させる逐次更新は、例えば、図５におけるフローチャートにおいて、ステップＳａ３とステップＳａ４とステップＳａ６とを繰り返すことにより実行される。なお、線量グラフ発生部２３は、撮影における面積線量の増加に伴って、線量グラフにおける総面積線量を示す折れ線を、逐次更新してもよい。撮影の間における折れ線の更新は、例えば、折れ線の傾きの更新として表示される。総面積線量を示す折れ線の逐次更新は、例えば、図５におけるフローチャートにおいて、ステップＳａ３乃至ステップＳａ６を繰り返すことにより実行される。最初の撮影が透視撮影である場合、折れ線の更新は、折れ線の始点の位置の移動として表示される。
【００７５】
なお、線量グラフ発生部２３は、照射スイッチの押下の解除の指示が入力され、再度照射スイッチの押下が入力されると、線量グラフにおいて、次の撮影回数に対応する位置に面積線量を示す縦棒を発生する。
【００７６】
モニタは、リアルタイムに面積線量を更新した線量グラフを表示する。モニタは、線量グラフにおける面積線量の増加を、縦棒の伸び（形状の変化）として表示する。すなわち、モニタは、透視撮影において、線量グラフにおける面積線量を示す縦棒を縦軸方向に伸ばして表示する。これにより、透視撮影において、面積線量の増加が表示される。モニタは、照射スイッチの押下回数を、Ｘ線照射の撮影回数として表示する。
【００７７】
図７は、３回のＸ線照射のうち１回目および３回目のＸ線照射が透視撮影であって、２回目のＸ線照射がワンショット撮影である場合において、線量グラフにおける面積線量を示すバーを動的に延伸させる一例を示す図である。図７における（１）は、照射スイッチオンの前の線量グラフを表示した表示画面を示している。図７の（２）は、第１撮影（透視撮影）が実行中における線量グラフの一例を示している。すなわち、照射スイッチがＯＮされると、図７の（２）に示すように、第１撮影（透視撮影）に関する面積線量を示すバーは、透視撮影中において、動的に延伸して表示される。このとき、総面積線量を示す折れ線の始点は、面積線量の増加に伴って、グラフの縦軸に沿って上方に移動されてもよい。
【００７８】
図７の（３）は、第１撮影終了時の線量グラフを示している。すなわち、第１撮影において、照射スイッチがオフとなると、図７の（３）に示すように、モニタは、次の撮影回数の地点に、面積線量を示す縦棒を表示させるように待機状態となる。総面積線量を示す折れ線の始点が面積線量の増加に伴って移動されない場合、始点は、透視撮影の終了とともに線量グラフ上に表示される。
【００７９】
図７の（４）は、照射スイッチがオンされ、第２撮影（ワンショット撮影）が終了した時点における線量グラフを示している。すなわち、ワンショット撮影である第２撮影が実行されると、図７の（４）に示すように第２撮影における面積線量が追加して表示される。
【００８０】
図７の（５）は、第２撮影の終了後において照射スイッチがオンされ、第３撮影（透視撮影）が実行中における線量グラフの一例を示している。すなわち、照射スイッチがＯＮされると、図７の（５）に示すように、第３撮影（透視撮影）に関する面積線量は、透視撮影中において、動的に増加して表示される。このとき、第２撮影と第３撮影との間における総面積線量を示す折れ線の傾きは、第３撮影における面積線量の増加に伴って、増加させて線量グラフ上に表示されてもよい。
【００８１】
図７の（６）は、第３撮影終了時における線量グラフを示している。図７の（２）乃至（６）に示すように、被検体Ｐに対するＸ線撮影の終了ごとに、総面積線量が折れ線グラフとして表示される。
【００８２】
（第３の変形例）  
本実施形態との相違は、総面積線量に対して予め設定された所定の閾値を、線量グラフに重畳させて表示し、総面積線量が所定の閾値を超過したとき、所定の閾値の超過に最後に寄与した面積線量を所定の色相に変更して表示することにある。
【００８３】
記憶部２５は、総面積線量の所定の閾値を記憶する。なお、所定の閾値は、入力部２７を介した操作者の指示により、適宜変更可能である。所定の閾値とは、例えば、被検体Ｐに対して予め設定された総面積線量においてＸ線照射量の最大許容値に対応する。記憶部２５は、所定の閾値を線量グラフ発生部２３に出力する。
【００８４】
線量グラフ発生部２３は、記憶部２５から読み出された所定の閾値を線量グラフに重畳させて表示する。線量グラフ発生部２３は、所定の閾値を特定の色相と対応付けてもよい。特定の色相とは、操作者にとって容易に識別できる色相である。特定の色相は、例えば、赤色である。
【００８５】
表示態様設定部３３は、所定の閾値の表示に対応する特定の色相を設定する。表示態様設定部３３は、総面積線量が所定の閾値を超えたとき、線量グラフにおいて、閾値の超過に寄与した撮影方式に対応する面積線量を示すバーの色相を、所定の色相に変更するように設定する。
【００８６】
モニタは、線量グラフに所定の閾値を重畳させて表示する。モニタは、総面積線量が所定の閾値を超過したとき、所定の閾値の超過に最後に寄与した面積線量を所定の色相に変更して表示する。所定の色相とは、操作者にとって容易に識別できる色相である。特定の色相は、例えば、オレンジ色である。なお、モニタは、総面積線量が所定の閾値を超過したとき、所定の警告を表示してもよい。なお、出力部２９は、総面積線量が所定の閾値を超過したとき、所定の通知（警告音など）を出力してもよい。
【００８７】
モニタは、所定の閾値に対する総面積線量の割合に応じて、図４の線量グラフにおける面積線量の表示態様を変更して表示してもよい。具体的には、モニタは、上記割合に応じて、線量グラフにおいて逐次更新される面積線量を示すバーの色相を、変更して表示する。なお、モニタは、割合を線量グラフ上に重畳して表示してもよい。また、モニタは、１から上記割合を差分した差分値を、Ｘ線照射が許容される線量に基づいた残量（以下、照射可能残量と呼ぶ）の割合として表示してもよい。また、モニタは、線量上限値に対するＸ線照射部位ごとの総面積線量の割合に応じて、図１２の線量グラフにおけるＸ線照射部位各々の総面積線量の表示態様を変更して表示してもよい。加えて、モニタは、線量上限値に対するＸ線照射部位ごとの総面積線量の割合を表示してもよい。
【００８８】
所定の閾値に対する総面積線量の割合および線量上限値に対するＸ線照射部位ごとの総面積線量の割合は、例えば、線量グラフ発生部２３、制御部３１などで計算される。なお、線量グラフ発生部２３は、撮影の間における折れ線の傾きに基づいて、割合を計算してもよい。
【００８９】
割合に応じて変更される色相は、表示態様設定部３３により設定される。表示態様設定部３３は、例えば、割合が７０％以上８０％未満である場合、バーの色相を黄色として設定する。表示態様設定部３３は、例えば、割合が８０％以上９０％である場合、バーの色相を橙色として設定する。表示態様設定部３３は、例えば、割合が９０％以上１００％未満である場合、バーの色相を赤色として設定する。出力部２９は、割合が所定の値をこえたとき、所定の警告を出力してもよい。所定の値とは、例えば９５％である
図８は、所定の閾値を線量グラフとともに示す図である。図８に示すように、所定の閾値は、線量グラフの横軸に平行に、所定の色相（図８では長破線）で表示される。また、図８に示すように、総面積線量が所定の閾値を超過したとき、所定の閾値の超過に最後に寄与した面積線量を所定の色相（図８における斜めの格子状のハッチング）で表示される。
【００９０】
（第４の変形例）  
本実施形態との相違は、線量グラフを所定の記憶形式で記憶することにある。  
記憶部２５は、発生した線量グラフを所定の記憶形式で、線量グラフに関連する複数の投影画像および線量グラフにおける面積線量の動的な変化に関する情報とともに記憶する。所定の記憶形式とは、例えば、ＤＩＣＯＭ（Ｄｉｇｉｔａｌ  Ｉｍａｇｉｎｇ  ａｎｄ  ＣＯｍｕｎｉｃａｔｉｏｎｓ  ｉｎ  Ｍｅｄｉｃｉｎｅ）のＤｏｓｅ  ＳＲ形式である。これにより、線量グラフは、検査終了後においても、必要に応じて線量グラフを、面積線量の動的な更新とともに、他の医用画像表示装置に表示させることが可能となる。
【００９１】
記憶部２５は、線量グラフを、単体または関連する複数の投影画像とともに、光学メディアなどの記憶媒体に、所定の記憶形式で記憶する。記憶媒体とは、例えば、ＣＤ−Ｒ、フラッシュメモリ、ＨＤＤなどである。なお、記憶部２５は、線量グラフを、単体または関連する複数の投影画像とともに、外部の医用画像保管装置などにインターフェース部およびネットワークを介して出力することも可能である。この時、記憶部２５は、ＤＩＣＯＭ  ＤＩＲに含める形式で、線量グラフを、記憶媒体に出力する。記憶媒体に記憶された線量グラフは、医用画像表示装置およびＰＣなどに、表示される。
【００９２】
図９は、線量グラフをＤＩＣＯＭ  Ｄｏｓｅ  ＳＲ情報等の線量管理情報として記憶媒体に記憶し、記憶媒体からＤＩＣＯＭ  Ｄｏｓｅ  ＳＲ情報を読み込むことにより、医用画像表示装置に表示された線量グラフの一例を示す図である。図９に示すように、ＤＩＣＯＭ  Ｄｏｓｅ  ＳＲ情報をＤＩＣＯＭ  ＤＩＲに含める形式で記憶媒体に記憶することにより、線量グラフは、ＰＣ（Ｐｅｒｓｏｎａｌ  Ｃｏｍｐｕｔｅｒ）を含む任意の医用画像表示装置に表示することができる。
【００９３】
（第５の変形例）  
本実施形態との相違は、複数のＸ線撮影各々におけるＸ線条件に基づいて、面積線量を計算することにより、面積線量を取得することにある。
【００９４】
図１０は、本変形例に係るＸ線診断装置１の構成を示す構成図である。  
図１０に示すように線量計測部１３５は、図１と異なり、支持機構１３に搭載されない。線量計測部１３５は、複数のＸ線撮影各々におけるＸ線条件に基づいて、面積線量を計算する。具体的には、線量計測部１３５は、Ｘ線条件における管電圧、管電流時間積、ＳＩＤ、照射範囲、所定の定数に基づいて、Ｘ線撮影各々における面積線量を計算する。線量計測部１３５は、計算した面積線量を、線量グラフ発生部２３および記憶部２５に出力する。
【００９５】
なお、線量計測部１３５は、支持機構１３の位置と相対的な位置関係（幾何学的条件）と面積線量と照射面積とに基づいて、基準位置における空気カーマ（ｋｅｒｍａ）を計算する。線量計測部１３５は、計算された空気カーマと、撮影条件、照射面積と、支持機構１３の位置および相対的な位置関係（幾何学的条件）とに基づいて線量（患者皮膚線量）を計算する。
【００９６】
以上に述べた構成によれば、以下の効果を得ることができる。  
本実施形態に係るＸ線診断装置１によれば、検査開始から検査終了までの検査期間に亘る線量情報をグラフ化して表示することができる。具体的には、本Ｘ線診断装置１によれば、検査期間における複数のＸ線照射各々に対して、面積線量および総面積線量を示す線量グラフを発生して表示することができる。面積線量は、例えば、線量グラフにおける棒グラフとして表示される。総面積線量は、線量グラフにおける折れ線グラフとして表示される。すなわち、本Ｘ線診断装置１によれば、複数のＸ線照射における線量情報の遷移状況を表示可能なＸ線診断装置を提供することができる。これにより、本Ｘ線診断装置１によれば、被検体Ｐに対するＸ線検査において、操作者は、複数のＸ線撮影各々に伴う被検体Ｐの被曝量の遷移をより簡便に把握することができる。
【００９７】
また、本実施形態によれば、線量グラフとして、被検体に対するＸ線照射部位ごとに、撮影方式に対する面積線量を識別可能に表示することができる。これにより、操作者は、Ｘ線照射部位ごとに総面積線量を簡便に把握することができる。
【００９８】
本実施形態の第１の変形例によれば、線量グラフにおいて特定面積線量に対する詳細情報を、入力部２７による所定の操作に応じて表示することができる。これにより、操作者は、複数のＸ線照射各々に伴う被検体Ｐの被曝量の詳細情報をより簡便に把握することができる。これらのことから、本Ｘ線診断装置１によれば、所定の操作に応じて被検体Ｐに対する面積線量の詳細情報を表示することで、被検体Ｐへの詳細情報を操作者に示すことができる。
【００９９】
本実施形態の第２の変形例によれば、被検体Ｐに対するＸ線撮影の実行期間中に動的に線量グラフを更新して表示することにある。すなわち、本Ｘ線診断装置１によれば、透視撮影の実行期間中に、線量グラフの面積線量および総面積線量を、動的（リアルタイム）に表示させることができる。このことから、本Ｘ線診断装置１によれば、検査中において、被検体Ｐに対する線量の遷移、Ｘ線撮影の種別を表示することで、被検体Ｐへの線量を操作者に示すことができる。
【０１００】
本実施形態の第３の変形例によれば、総面積線量に対して予め設定された所定の閾値を、線量グラフに重畳させて表示し、総面積線量が所定の閾値を超過したとき、所定の閾値の超過に最後に寄与した面積線量を所定の色相に変更して表示することができる。加えて、本Ｘ線診断装置１によれば、所定の閾値の超過に寄与した最後の面積線量を所定の色相で表示することができる。これらのことから、本Ｘ線診断装置１によれば、操作者は、総被曝線量の規定値に対して、被検体Ｐに許容される曝射量の目安を、簡便に把握することができる。
【０１０１】
また、本実施形態によれば、最大許容値に対する総面積線量の割合に応じて、線量グラフにおいて逐次更新される面積線量を示すバーの色相を変更して表示すること、および割合を線量グラフ上に重畳して表示することができる。本実施形態によれば、１から上記割合を差分した差分値を、照射可能残量の割合として表示することもできる。また、本実施形態によれば、線量上限値に対するＸ線照射部位ごとの総面積線量の割合に応じて、線量グラフにおけるＸ線照射部位各々の総面積線量の表示態様を変更して表示すること、および線量上限値に対するＸ線照射部位ごとの総面積線量の割合を表示することができる。これらのことから、本実施形態によれば、現在の撮影時点において、最大許容値または線量上限値に対する総面積線量の割合、または照射可能線量を容易に把握することができる。すなわち、本実施形態によれば、被検体に対するＸ線撮影において、上記割合・差分値を、最大許容値・線量上限値を基準として、Ｘ線撮影に係る撮影方式および撮影時間に対するガイドの指標として表示することができる。これにより、被検体に対する被爆の安全性を向上させることができる。
【０１０２】
本実施形態の第４の変形例によれば、線量グラフを線量グラフにおける面積線量の動的な変化に関する情報とともに、所定の記憶形式で、任意の記憶媒体に記憶させることができる。例えば、検査終了後において、必要に応じて線量グラフを、面積線量の動的な更新とともに、任意の医用画像表示装置に表示させることができる。これにより、操作者は、本Ｘ線診断装置１に限定されず、ＰＣを含む任意の医用画像表示装置において、線量グラフを表示することができる。
【０１０３】
本実施形態の第５の変形例によれば、複数のＸ線撮影各々におけるＸ線条件に基づいて、面積線量を計算することにより、面積線量を取得することができる。これにより、線量計を有しないＸ線診断装置においても、線量グラフを発生することができる。
【０１０４】
以上のことから、本Ｘ線診断装置１によれば、検査中において、被検体Ｐに対する線量の遷移、Ｘ線撮影の種別を表示することで、被検体Ｐへの線量を操作者に示すことができる。これにより、被検体Ｐに対する過多な被ばくを低減させることを、操作者に効果的に意識付けすることができる。
【０１０５】
また、本実施形態および本変形例に係る機能は、線量グラフ発生処理を実行するプログラム（線量グラフ発生プログラム）を本Ｘ線診断装置１のコンピュータにインストールし、これらをメモリ上で展開することによっても実現することができる。このとき、コンピュータに当該手法を実行させることのできるプログラムは、磁気ディスク（フロッピー（登録商標）ディスク、ハードディスクなど）、光ディスク（ＣＤ−ＲＯＭ、ＤＶＤなど）、半導体メモリなどの記憶媒体に格納して頒布することも可能である。
【０１０６】
また、上記実施形態の変形例として、本Ｘ線診断装置１の技術的思想を医用線量情報管理装置３で実現する場合には、一例として、図１１に示す構成要素を有する。図１１における各部は、図１および図１０に示す同じ名称の各部と同等の機能を有する。本医用線量情報管理装置３をＸ線診断装置１に搭載した場合、例えば、図１０における一点鎖線で囲まれた構成要素が医用線量情報管理装置３に対応する。医用線量情報管理装置３における線量グラフ発生機能等における各処理は、上記実施形態および各変形例と同様に実行される。
【０１０７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【０１０８】
１…Ｘ線診断装置、３…医用線量情報管理装置、１１…高電圧発生部、１３…支持機構、１５…Ｘ線検出器、１７…天板、１９…駆動部、２１…画像発生部、２３…線量グラフ発生部、２５…記憶部、２７…入力部、２９…出力部、３１…制御部、３３…表示態様設定部、３５…他の医用装置、１３１…Ｘ線管、１３３…Ｘ線可動絞り部、１３５…線量計測部。
【図１】
2015043972.tif 000003
【図２】
2015043972.tif 000004
【図３】
2015043972.tif 000005
【図４】
2015043972.tif 000006
【図５】
2015043972.tif 000007
【図６】
2015043972.tif 000008
【図７】
2015043972.tif 000009
【図８】
2015043972.tif 000010
【図９】
2015043972.tif 000011
【図１０】
2015043972.tif 000012
【図１１】
2015043972.tif 000013
【図１２】
2015043972.tif 000014